(57)【要約】【課題】  適切な撮影スケジュール等の出力情報を自動的に算出し、出力するシナリオ情報解析装置及びシナリオ情報解析方法を提供する。【解決手段】  本発明のシナリオ情報解析装置は、シーン毎に区分されたシナリオ情報を格納するシナリオ情報格納部と、シナリオ情報に含まれるデータに関する参照情報を格納する参照情報格納部と、シナリオ情報からデータを抽出し、抽出されたデータ及び参照情報に基づいて、出力情報を算出する算出部と、出力情報を出力する出力部と、を具備する。【選択図】        図１
2004362610.tif 000002
【特許請求の範囲】
【請求項１】
シーン毎に区分されたシナリオ情報を格納するシナリオ情報格納部と、
前記シナリオ情報に含まれるデータに関する参照情報を格納する参照情報格納部と、
前記シナリオ情報から前記データを抽出し、抽出された前記データ及び前記参照情報に基づいて、出力情報を算出する算出部と、
前記出力情報を出力する出力部と、
を具備することを特徴とするシナリオ情報解析装置。
【請求項２】
前記データが、シーン毎に生成された、撮影時間データ、撮影場所データ、キャスト・スタッフデータ、使用機材・道具データ、エキストラデータ、業者データの中の少なくとも１つを含むことを特徴とする請求項１に記載のシナリオ情報解析装置。
【請求項３】
前記参照情報が、各キャスト・スタッフのスケジュール、各キャスト・スタッフの単価、各撮影場所の使用スケジュール、各場所の使用単価、各場所へのアクセス情報、各機材・道具の使用スケジュール、各機材・道具の使用単価、各機材・道具若しくはエキストラの提供業者情報、エキストラの動員可能人数、エキストラの単価、予算情報、及び期限情報の中の少なくとも１つを含むことを特徴とする請求項１又は請求項２に記載のシナリオ情報解析装置。
【請求項４】
前記出力情報が、撮影スケジュール、撮影コスト、機材・道具リスト、業者リストの中の少なくとも１つを含むことを特徴とする請求項１から請求項３のいずれかの請求項に記載のシナリオ情報解析装置。
【請求項５】
前記参照情報格納部は、前記参照情報に優先情報を付加して格納し、
前記算出情報は、全ての前記参照情報の要件を満たす出力情報を生成できなければ、抽出された前記データと、前記優先情報に基づいて優先度が低い前記参照情報を除外した前記参照情報とに基づいて、前記出力情報を算出する、
ことを特徴とする請求項１から請求項４のいずれかの請求項に記載のシナリオ情報解析装置。
【請求項６】
前記出力情報の一部を一定の値に設定する設定部を更に有し、
前記算出部は、前記シナリオ情報から前記データを抽出し、抽出された前記データ及び前記参照情報に基づいて、一定の値に設定された前記出力情報以外の出力情報を算出する、
ことを特徴とする請求項１から請求項５のいずれかの請求項に記載のシナリオ情報解析装置。
【請求項７】
前記シナリオ情報格納部は、優先情報を付加した複数のシナリオのシナリオ情報を格納し、前記算出部は、前記優先情報に基づいて優先度が高いシナリオから順番に前記出力情報を算出する、
ことを特徴とする請求項１から請求項６のいずれかの請求項に記載のシナリオ情報解析装置。
【請求項８】
検索部を更に有し、
前記検索部は、入力された検索情報と同一の情報を含むシナリオ又はシナリオのシーンを前記シナリオ情報格納部から検索し、検索したシナリオ又はシナリオのシーンの情報を出力する、
ことを特徴とする請求項１から請求項７のいずれかの請求項に記載のシナリオ情報解析装置。
【請求項９】
前記検索情報が、撮影時間データ、撮影場所データ、キャスト・スタッフデータ、使用機材・道具データ、エキストラデータ、業者データの中の１つ又はこれらを組み合わせた情報であることを特徴とする請求項８に記載のシナリオ情報解析装置。
【請求項１０】
撮影された各シーンの映像信号若しくは音声信号のタイムコード情報及びそのシーンの識別子を入力する入力部を更に有し、
前記シナリオ情報格納部は、各シナリオ情報のシーンに前記識別子を関連付けて格納しており、
前記算出部は、入力した前記タイムコード情報及び前記識別子に基づいて、シナリオのシーンの順番に従って生成した編集リストを生成し、
前記出力部は、前記編集リストを出力する、
ことを特徴とする請求項１から請求項９のいずれかの請求項に記載のシナリオ情報解析装置。
【請求項１１】
前記算出部は、シナリオ情報に含まれるデータ毎の識別情報を検出し、前記識別情報に基づいて特定された情報をその識別情報に係るデータとして抽出する、ことを特徴とする請求項１から請求項１０のいずれかの請求項に記載のシナリオ情報解析装置。
【請求項１２】
シーン毎に区分されたシナリオ情報からデータを抽出する抽出ステップと、
前記データに関する参照情報を参照情報格納部から読み出す読み出しステップと、
前記データ及び前記参照情報に基づいて、出力情報を算出する算出ステップと、
前記出力情報を出力する出力ステップと、
を具備することを特徴とするシナリオ情報解析方法。
【請求項１３】
シーン毎に区分されたシナリオ情報と参照情報とを格納部に格納するコンピュータをシナリオ情報解析装置として機能させるためのプログラムであって、
前記シナリオ情報からデータを抽出する抽出ステップと、
前記データに関する前記参照情報を格納部から読み出す読み出しステップと、
前記データ及び前記参照情報に基づいて、出力情報を算出する算出ステップと、
前記出力情報を出力する出力ステップと、
を具備することを特徴とするシナリオ情報解析方法のプログラム。
【発明の詳細な説明】
【技術分野】
【０００１】
本発明は、シナリオ情報解析装置及びシナリオ情報解析方法に関する。
【背景技術】
【０００２】
劇場用映画、テレビ放送用ドラマ等の製作に当たってはシナリオ（「シナリオ情報」という。）が書かれる。俳優はシナリオに従って演技し、監督はシナリオに従って演出を行う。シナリオはシーン毎に区分されている。生で演じられる舞台等においてはシナリオのシーンの順番通りに演じられるが、最終的に映像情報として完成される映画及びテレビドラマ等においては、シナリオのシーンの順番通りに撮影をすることは稀である。各シーンはそれぞれ最適な日時と順番で撮影される。撮影された各シーンの映像情報及び音声情報（素材）はフィルム編集又は電子編集により加工され、つなぎ変えられて、完成された映画又はドラマ等（カンパケ）が完成される。
【０００３】
従来、シナリオの各シーンの撮影を何日にどのような順番で行うかは、ベテランが勘を頼りに決定していた。しかし、シナリオの各シーンの撮影に影響を与える要素は極めて多いため、勘を頼りに最適の日程を立案することは困難であった。
ドラマの各出演者（キャスト）、各スタッフ（監督、カメラマン等）は、このドラマ以外にも仕事を抱えている。ドラマの各シーンの撮影スケジュールを決定するに当たっては、キャスト及びスタッフのそれぞれのこのドラマ以外の日程を考慮しなければならない。
【０００４】
ドラマの各シーンの撮影においては、カメラ、ＶＴＲ等の撮影機材、大小の道具等を手配して準備しておく必要がある。撮影場所（ロケ又はスタジオ）の予約も忘れてはいけない。
撮影スケジュールが最適であれば撮影は早く終了し、撮影に要する費用も安く済む。撮影スケジュールが悪ければ、撮影は遅れ、撮影に要する費用も高くつく。
撮影されたフィルム又はビデオテープの編集作業は、監督等がシナリオを見ながら行うが、監督が手作業でシーンの接続順を決定していた。
【０００５】
【特許文献１】特開平10-124483号公報
【特許文献２】特開平7-262265号公報
【特許文献３】特開平11-134407号公報
【特許文献４】特開平9-190474号公報
【特許文献５】特開平10-111872号公報
【非特許文献１】「週末はＳＦ映画監督になる」、ＣＧ  ＷＯＲＬＤ、株式会社ワークスコーポレーション、1998年12月29日、第6巻、36-65頁
【非特許文献２】「映画の製作・配給・興行の流れ」、図解でわかるコンテンツサービス、日本能率協会マネジメントセンター、2001年1月1日、第1版、134-135頁
【非特許文献３】「シナリオを用いたドラマのシーン検索システム」、情報処理学会論文誌、社団法人情報処理学会、1999年2月15日、第40巻、第SIG3(T0D1)号、144-151頁
【発明の開示】
【発明が解決しようとする課題】
【０００６】
従来は、映画、ドラマ等の製作等において、コンピュータを用いた作業の合理化は、編集工程以降の工程のみに限られていた。シナリオに基づいて撮影を行う撮影工程においては、勘と経験に基づいて作業が進められていた。
本発明は、シナリオに含まれるデータ及びそのデータに関係付けられた参照情報に基づいて、適切な撮影スケジュール等の出力情報を自動的に算出し、出力するシナリオ情報解析装置及びシナリオ情報解析方法を提供することを目的とする。
【課題を解決するための手段】
【０００７】
上記の課題を解決するため、本発明は下記の構成を有する。
本発明は、シーン毎に区分されたシナリオ情報を格納するシナリオ情報格納部と、前記シナリオ情報に含まれるデータに関する参照情報を格納する参照情報格納部と、前記シナリオ情報から前記データを抽出し、抽出された前記データ及び前記参照情報に基づいて、出力情報を算出する算出部と、前記出力情報を出力する出力部と、を具備することを特徴とするシナリオ情報解析装置である。
【０００８】
本発明は、シナリオに含まれるデータ及びそのデータに関係付けられた参照情報に基づいて、適切な撮影スケジュール等の出力情報を自動的に算出し、出力するシナリオ情報解析装置及びシナリオ情報解析方法を実現出来るという作用を有する。
例えば、シーン毎に生成された、撮影時間データ、撮影場所データ、キャスト・スタッフデータ、使用機材・道具データ、エキストラデータ、業者データ等のデータと、これらのデータに関連付けられた各キャスト・スタッフのスケジュール、各キャスト・スタッフの単価、各撮影場所の使用スケジュール、各場所の使用単価、各場所へのアクセス情報、各機材・道具の使用スケジュール、各機材・道具の使用単価、各機材・道具若しくはエキストラの提供業者情報、エキストラの動員可能人数、エキストラの単価、予算情報、及び期限情報等の参照情報とに基づいて、撮影スケジュール、撮影コスト、機材・道具リスト、業者リスト等の出力情報を生成する。
【０００９】
これにより、例えば撮影スジュールの立案時間を削減することができ、出力された撮影スケジュールに従って撮影を行うことにより、早く撮影を完了することが出来る。撮影費用も安くて済む。
【発明の効果】
【００１０】
本発明によれば、シナリオに含まれるデータ及びそのデータに関係付けられた参照情報に基づいて、適切な撮影スケジュール等の出力情報を自動的に算出し、出力するシナリオ情報解析装置及びシナリオ情報解析方法を実現出来るという効果が得られる。
これにより、例えば撮影スジュールの立案時間を削減することができ、出力された撮影スケジュールに従って撮影を行うことにより、早く撮影を完了することが出来る。撮影費用も安くて済む。
【００１１】
参照情報に優先情報を付加することにより、例えば日程変更が困難で個人スケジュール上のブランク期間が少ない人気俳優（優先度が高い）の、僅かなブランク期間（ブランク期間は参照情報に含まれる。）を利用して撮影を行う撮影スケジュールを生成することが出来る。この場合、例えば一般のスタッフ（優先度が低い）のスケジュール（参照情報に含まれる。）を一部無視することも出来る。一般のスタッフのスケジュールの一部を無視した場合は、無視した部分（スタッフの個人スケジュールと撮影スケジュールとが競合する部分）のリストを出力し、競合部分の調整を行う必要があることについて、注意を喚起することが好ましい。
【００１２】
例えば自動車メーカーがドラマのスポンサーになる場合は、ドラマに登場する車は全て当該自動車メーカーの製品であることが好ましい。この場合、参照情報（データベースの形式で登録されていることが好ましい。）の中には複数の自動車メーカーの自動車が登録されていても（任意の自動車を撮影に用いることが出来る。）、当該スポンサーの自動車メーカーの製品にデータを固定する。
最初にスケジュールを決定した後、撮影を開始すると、撮影スケジュール、撮影コスト等の実績が計上される。当該スポンサーの自動車メーカーの製品又は当該実績情報を固定値として設定することにより、当該実績等を前提として改訂された撮影スケジュール等を自動的に生成することが出来る。
【００１３】
優先情報を付加した複数のシナリオを入力することにより、例えばスタジオの使用希望日が競合する場合、優先度の高いシナリオ（例えば他のシナリオよりカンパケの引渡し期限が早いシナリオである。）にその日のスタジオ使用権を与える。これにより、複数のシナリオについて平行して撮影を進めるスタジオ全体の撮影スケジュール等を最適に決定することが出来る。
【００１４】
本発明のシナリオ情報解析装置及びシナリオ情報解析方法は、シナリオ情報を電子倉庫に格納しておき、検索情報にもとづいてシナリオ情報に含まれる同一の情報を検索することが出来る。例えば撮影から５年後にドラマの１シーンをテレビで放映した場合、当該シーンの識別番号（５年後に放映された時にも、そのシーンの映像信号に識別番号が付加されているものとする。）を検索情報として電子倉庫内のシナリオ情報を検索することにより、そのシーンがどのシナリオのどのシーンかを検索することが出来る。これにより、そのシーンの著作権を誰が持っているかを容易に知ることが出来る。そこに登場している俳優が誰であるかを容易に知ることが出来る。俳優の名前を検索情報として電子倉庫内のシナリオ情報を検索することにより、当該俳優が登場するシーンを抽出することが出来る。これにより、例えば当該俳優のデビュー１０年の記念番組の製作が容易になる。
【００１５】
従来、撮影されたフィルム、ビデオテープ等の素材を監督等が手作業で順番を決め、編集していた。本発明のシナリオ情報解析装置及びシナリオ情報解析方法は、素材のタイムコード情報等と識別子（シナリオ情報の各シーン毎に定められた固有の情報）とを入力し、シナリオ情報上の各シーンの順番に従って素材を自動的に編集した編集リストを生成し、出力する。これにより編集者（例えば監督）は、シナリオの順番に接続された編集リストをたたき台として編集作業を始めることが出来る。通常編集作業においては、シナリオを基に編集し又はシナリオからどこを変更するかを考えながら編集する。多くの素材が、とりあえずシナリオ順に整理されて提供される故に、見たいシーンを検索するのも容易である。本発明のシナリオ情報解析装置及びシナリオ情報解析方法により、撮影のみならず、後工程の合理化を実現することも出来る。
【発明を実施するための最良の形態】
【００１６】
以下、本発明の最良の実施形態について、図面を参照しつつ説明する。
図１〜１０を用いて、本発明のシナリオ情報解析装置及びシナリオ情報解析方法を説明する。
図１は、本発明のシナリオ情報解析装置の構成を示すブロック図である。１は入力部、２はシナリオ情報格納部、３は参照情報格納部、４は検索部、５は算出部、６は設定部、７は出力部である。本発明のシナリオ情報解析装置は、典型的にはパーソナルコンピュータに本発明のシナリオ情報解析方法のプログラムをロードしたものである。
【００１７】
入力部１は、シーン毎に区分されたシナリオ情報１１、シナリオ情報に含まれるデータに関する参照情報１２（実施形態においてはコンピュータにより任意に情報を利用出来るデータベースである。）、並びに撮影された映像信号等のタイムコード情報及び識別子１３を入力する。シナリオ情報格納部２は、入力部１から伝送されたシナリオ情報１１、並びに映像信号等のタイムコード情報及び識別子１３を入力して格納する。参照情報格納部３は、入力部１から伝送された参照情報１２を入力して格納する。「格納すること」は、記憶することを含む。
算出部５は、シナリオ情報格納部２に格納されたシナリオ情報１１から抽出したデータ等１５を入力し、参照情報格納部３から抽出されたデータに関連付けられた参照情報１６を読み出す。算出部５は、データ及びデータに関連付けられた参照情報に基づいて出力情報を算出する。出力部７は出力情報１７を出力する。
検索部４及び設定部６については後述する。
【００１８】
図３は、実施形態のシナリオ情報解析装置に入力するシナリオ情報の一例を示す。図３において、シナリオ情報はシーン毎に生成されている。
実施形態のシナリオ情報は、識別情報を含んでいる。実施形態の識別情報は、＜ＳＴＡＦＦ＞、＜／ＳＴＡＦＦ＞等の記述子である。実施形態においては、記述子は＜  ＞及び＜／  ＞のセットで表示され、又は＜  ＞のみで表示されている。＜  ＞及び＜／  ＞のセットで表示される記述子は、その間に挟まれた言葉を１個又は複数のデータとして特定する。その間に複数のデータを挟む場合は、データとデータの区切りは「，」で表示される。＜  ＞の中の表示は、記述子が特定するデータの種類を表す。
【００１９】
＜ＳＣＥＮＥ＞、＜／ＳＣＥＮＥ＞は、各シーンの撮影場所データを示すと共に、各シーンの先頭位置を特定する。従って、各シーンの先頭は＜ＳＣＥＮＥ＞、＜／ＳＣＥＮＥ＞のある行であり、各シーンの末尾は、次のシーンの先頭にある＜ＳＣＥＮＥ＞、＜／ＳＣＥＮＥ＞のある行の直前までである。
例えば、＜ＣＡＳＴ＞と＜／ＣＡＳＴ＞とで挟まれたデータはキャストデータであり、各データは「老人」等の登場人物の役名で表示されている。＜ＳＴＡＦＦ＞と＜／ＳＴＡＦＦ＞とで挟まれたデータはスタッフデータであり、各データは「監督」等の役割名で表示されている。＜ＥＱＵＩＰ＞と＜／ＥＱＵＩＰ＞とで挟まれたデータは使用機材・道具データであり、各データは「カメラ」、「花瓶」等の機材・道具名で表示されている。
【００２０】
＜ＴＩＭＥ＞と＜／ＴＩＭＥ＞とで挟まれたデータは撮影時間データであり、各データは「２分間」のように時間長で表示される場合と、「５時３０分−６時３０分」のように始端と終端の時刻間のインターバルで表示される場合とがある。
データは、撮影時間データ、撮影場所データ、キャスト・スタッフデータ、使用機材・道具データ、エキストラデータ、業者データを含む。
エキストラデータとは、例えばエキストラで登場する人物の人数、出演するエキストラの特性データ（例えば子供又は大人、男又は女等のエキストラを特定するデータ）等のデータである。
業者データとは、撮影現場に加わるスタッフ以外の業者のデータであって、例えば衣装・装身具等の提供業者、ドラマで使用する自動車の提供業者等のデータである。
【００２１】
＜ＣＵＴ＞は、カットの冒頭を示す記述子である。＜ＰＮＡＭＥ＞はその後に台詞をしゃべる人物名（キャスト）が続くことを示す記述子であり、＜ＷＯＲＤＳ＞はその後に台詞が続くことを示す記述子である。＜ＳＤＩＲＥＣＴ＞は、その後にト書きが続くことを示す記述子である。
【００２２】
＜ＤＥＦＩＮＩＴＩＯＮ＞及び＜／ＤＥＦＩＮＩＴＩＯＮ＞は定義を示す記述子であり、その間に挟まれた１つ又は複数の記述が定義であることを示す。その間に複数の記述（定義）を挟む場合は、定義と定義の区切りは「，」で表示される。例えば「山田＝高橋」はシナリオの役名「山田」を俳優高橋が演じることを定義し、「監督＝三島」は監督が三島であることを定義し、「Ａ島＝伊豆Ｐ岬」はドラマのＡ島として伊豆Ｐ岬をロケに使用することを定義している。記述子＜ＤＥＦＩＮＩＴＩＯＮ＞及び＜／ＤＥＦＩＮＩＴＩＯＮ＞は、シナリオ上の役名・役割等を誰がするのかを決めることにより、データベース上でシナリオ情報（データは役名「山田」・役割「監督」で記載されている。）と各データの参照情報（参照情報は俳優高橋、三島監督等についての情報である。）とをリンクする。
【００２３】
図４は、参照情報格納部３が格納する参照情報のデータベースの一部を例示する。図４において、「分類」のコラムは、参照情報に含まれる情報の分類（キャスト、スタッフ、機材・道具等）を示す。
「役名等」のコラムは実際には参照情報に含まれていないが、シナリオ情報から抽出されたデータ（「役名等」のコラム）と、参照情報の情報（「俳優等」のコラム）との対応を分かり易くするために記載している。「役名等」のコラムと「俳優等」のコラムとは、記述子＜ＤＥＦＩＮＩＴＩＯＮ＞及び＜／ＤＥＦＩＮＩＴＩＯＮ＞での定義により、図４で示す関係で相互に対応付けられている。
「俳優等」のコラムは、シナリオの各シーンの撮影に参加する人物及び各シーンの撮影に使用される機材・道具を具体的に示す。
【００２４】
「所属」、「５月１８日」、「５月１９日」、・・・「単価」、「条件」、「優先情報」の各コラムは、「俳優等」のコラムの各行に記載された要素に関する参照情報である。「所属」のコラムは各キャスト、スタッフが所属する組織であり、各機材・道具の所有者（レンタル業者等の供給源）である。「５月１８日」、「５月１９日」のコラムは、各キャスト、スタッフ、機材・道具がその日に撮影に参加可能であるか（撮影で使用可能であるか）否かを示す。「○」の表示は各キャスト等が全日撮影に参加可能である（全日撮影で使用可能である）ことを示し、「×」の表示は各キャスト等が撮影に参加出来ない（撮影で使用出来ない）ことを示す。「ＰＭ４−」は午後４時から撮影に参加可能であることを示す。
【００２５】
「単価」及び「条件」のコラムは、それぞれの条件で単価（人件費、レンタル料等）が幾らであるかを示す。例えば俳優高橋には、撮影に参加する日数にかかわらず撮影の開始から終了までの出演に対して（「ａｌｌ」と表示）５００万円を支払う。例えば「老人」役の俳優田所には、撮影に１日参加する毎に（「ｄａｙ」と表示）２万円を支払う。
優先情報のコラムについては後述する。
【００２６】
図５は、参照情報格納部３が格納する参照情報のデータベースの他の一部（撮影場所データ）を例示する。図５において、「シナリオ」のコラムは実際には参照情報に含まれていないが、シナリオ情報から抽出された各シーンの撮影場所データ（「シナリオ」のコラム）と、参照情報に含まれる撮影場所データ（「撮影場所」のコラム）との対応を分かり易くするために記載している。シナリオ情報に記載されている場所は多くの場合架空の場所であり、たとえシナリオ情報に記載された場所が実在の場所であっても撮影に使用される場所がその場所であるとは限らない。そこで、シナリオ情報から抽出された各シーンの撮影場所データ（「シナリオ」のコラム）と、参照情報に含まれる撮影場所データ（「撮影場所」のコラム）との対応付けをする必要がある。実施形態において、「シナリオ」のコラムと「撮影場所」のコラムとは、記述子＜ＤＥＦＩＮＩＴＩＯＮ＞及び＜／ＤＥＦＩＮＩＴＩＯＮ＞での定義（例えば「Ａ島＝伊豆Ｐ岬」）により、図５で示す関係で相互に対応付けられている。
【００２７】
「５月１８日」、「５月１９日」、・・・「単価」、「条件」の各コラムは、「撮影場所」のコラムの各行に記載された要素に関する参照情報である。「５月１８日」、「５月１９日」のコラムは、その撮影場所がその日に撮影に参加可能であるか（撮影で使用可能であるか）否かを示す。「○」の表示はその撮影場所が全日撮影に使用できることを示し、「×」の表示はその撮影場所が撮影に使用出来ないことを示す。
「単価」及び「条件」のコラムは、それぞれの条件で撮影場所を使用する単価が幾らであるかを示す。例えばＹスタジオを使用すると、１日当たり（「ｄａｙ」と表示）５万円を支払う。
【００２８】
撮影場所の参照情報として、その場所へのアクセス情報を含むことも出来る。「アクセス情報」は、その場所に行くことに関する情報であって、例えばシナリオ情報解析装置を使用するプロダクションの所在地から撮影場所への移動時間、撮影場所へ行く交通費、撮影場所で宿泊することが必要であれば宿泊費等を含む。例えば都内のスタジオには１時間で行くことが出来るが、伊豆のＰ岬に行くには車で５時間かかる。撮影スケジュールを生成する上で、場所の移動時間に関する情報を考慮することが重要である。遠い伊豆のＰ岬での撮影を出来るだけまとめて実施することにより製作コストを削減することも出来る。
参照情報には、撮影の期限情報（例えば２００１年５月３１日）、撮影の予算（実施形態においては１４００万円である。）を含むことが出来る。
参照情報は、各キャスト・スタッフのスケジュール、各キャスト・スタッフの単価、各撮影場所の使用スケジュール、各場所の使用単価、各場所へのアクセス情報、各機材・道具の使用スケジュール、各機材・道具の使用単価、各機材・道具若しくはエキストラの提供業者情報、エキストラの動員可能人数、エキストラの単価、予算情報、及び期限情報を含むことが出来る。
【００２９】
「エキストラの提供業者情報」とは、エキストラを提供する業者に関する情報であって、例えばＭ社（エキストラを提供する業者）は関東での撮影であればエキストラを動員出来るが、それ以外の地域での撮影ではエキストラを動員できないという情報、Ｎ社（エキストラを提供する業者）は、エキストラの動員日より３日以上前に依頼しなければエキストラを提供できないという情報等である。
「エキストラの動員可能人数」とはＭ社が提供できる子供のエキストラの最大数が１２０人であるという情報、又はＮ社が提供できる馬に乗ることが出来るエキストラの最大数が２０人であるという情報等である。
「エキストラの単価」とは、エキストラを動員したときにそのエキストラ又はエキストラの提供業者に支払う１日当たりの単価又は１時間当たりの単価等である。例えば、子供のエキストラを動員すると、その単価が１日当たり５０００円であるという情報等である。
【００３０】
算出部５は、シナリオ情報から抽出したデータについて、参照情報１６の条件を満たす出力情報１７を生成する。図６〜１０は、算出部５が生成した出力情報を例示する。
図６は、出力情報１７のひとつである撮影スケジュールを図示する。図６（ａ）は全体スケジュールを示す。各撮影日について、撮影するシーン番号（「シーン」のコラム）、参加するキャスト（「キャスト」のコラム）、参加するスタッフ（「スタッフ」のコラム）、撮影を行う撮影場所（「ロケ／スタジオ」のコラム）を表示する。
（ｂ）は、撮影日の詳細撮影スケジュール（香盤表）を示す。スタッフについては（ｂ）の表に記載されていないが、その日の撮影に参加するスタッフは集合から撤収までの全て期間、撮影に参加する。
【００３１】
算出部５は、各キャスト、各スタッフ、各機材・道具、各撮影場所の個々のスケジュールを考慮した（個々のスケジュールと矛盾しない）撮影スケジュールを生成する。算出部５は、効率的に撮影を行って撮影期限前に撮影を完了する様に、例えば同一場所のシーンの撮影をまとめて実施するようなスケジュールを生成する。このことは、例えば伊豆Ｐ岬のような遠隔地でのロケにおける交通費、宿泊代を削減する効果もある。
例えば、各シーンの時間は２０秒、２分等の長さであるが、実際には撮影準備の時間が必要であるので、撮影場所を移動する場合は、移動時間（各場所へのアクセス情報）及び撮影準備時間（例えば３時間）を考慮してスケジュールを生成する。
【００３２】
算出部５は、任意の参照情報に基づいて撮影スケジュール等を生成することが出来るが、例えばシーン毎の、撮影時間データ、撮影場所データ、キャスト・スタッフデータ、使用機材データに関係付けられた参照情報（例えばキャスト・スタッフの個別スケジュール、使用機材の使用スケジュール、撮影場所へのアクセス情報（例えば移動に要する時間等））に基づいて撮影スケジュールを生成する。
算出部５は、例えばシーン毎の、撮影時間データ、撮影場所データ、キャスト・スタッフデータ、使用機材データに関係付けられた参照情報（例えばキャスト・スタッフの個別コスト情報、使用機材の使用コスト情報、撮影場所へのアクセス情報（例えば交通費、宿泊代等））に基づいて撮影コスト情報を生成する。
【００３３】
図７は、出力情報１７のひとつである各撮影日に準備する機材・道具のリストの一例である。スタッフは、この表に従って機材・道具を手配することにより、機材等の手配漏れを防ぐことが出来る。撮影スケジュールを変更すると手配すべき機材・道具も変わって、手配ミスも生じやすい。算出部５が図７の表を自動的に生成する故に、撮影中の事情による日程変更も容易になる。
操作者は、撮影期間の途中で設定部６（図１）を通じて撮影実績（実際に撮影した日程）を入力することにより、未撮影のシーンについての最適な撮影スケジュールを立て直すことも出来る。算出部５の出力情報である撮影スケジュールの一部を一定値（実績の日程）に設定することにより、撮影実績を入力する。未撮影のシーンとは、撮影スケジュールの中で撮影実績が入力されなかった部分を意味する。
【００３４】
図４の優先情報のコラムは、撮影スケジュール等の決定におけるデータの優先順位を規定する。もしシナリオ情報解析装置が全ての条件を満たす撮影スケジュールを生成することが出来なければ、シナリオ情報解析装置は優先情報が付加されていない行（図４においては俳優高橋と三島監督以外）の参照条件の一部を無視して撮影スケジュールを生成する。それでも優先情報が付加された行の参照情報を満たす撮影スケジュールを生成することが出来なければ、シナリオ情報解析装置は、大きな値の優先情報が付加された行（図４においては「２」が記載された俳優高橋）の参照条件の一部を無視して撮影スケジュールを生成する。これにより、全ての参照条件を満たす撮影スケジュール等を生成できない場合には、優先情報により重要視する情報とそうでない情報とを区別して次善の撮影スケジュールを生成することが出来る。
好ましくは算出部５は、無視した条件（生成した撮影スケジュールと、キャスト等の個々のスケジュールとの競合部分）の一覧表を出力する。これにより、誰のどの日程を調整する必要があるのかを知ることが出来る。
操作者は、設定部６を通じて優先情報を入力することが出来る。
【００３５】
図８、図９は、それぞれ算出部５が生成する出力情報であるプロジェクトコスト、撮影コスト（撮影コストは、プロジェクトコストの一部である。）の表の一例である。算出部５は、上記シナリオに基づいて、撮影コスト等及び各部のコストの合計であるプロジェクトコストを算出する。算出部５は、撮影コスト等が予算（参照情報に含まれる。）に収まる様にコスト計画を立てる。
操作者は設定部６（図１に示す）を通じて、撮影期間の途中での（又は撮影完了後の）予算の実績を算出部５に入力することが出来る。算出部は、図８、図９に示すように予算と共に、現在の支出の実績、予算と実績の差異を表示する。
出力情報は、撮影スケジュール、撮影コスト、機材・道具リスト、業者リストを含む。
【００３６】
例えば自動車メーカーがドラマのスポンサーになった場合、ドラマの中で当該自動車メーカーが販売する自動車を使用することが求められる。操作者は、設定部６を通じて使用する道具の一部である自動車を当該自動車メーカーの製品に設定することにより、スポンサーの要求を撮影に盛り込むことが出来る。
算出部５が複数のシナリオについて撮影スケジュールを生成する場合がある。操作者が設定部６を通じてどのシナリオ情報の撮影スケジュールを優先するかという優先情報を入力することにより、算出部５は、優先情報に基づいて優先度が高いシナリオから順番に前記出力情報を算出する。
【００３７】
操作者は、検索部４に検索情報を入力することが出来る。検索部４は、シナリオ情報格納部２に格納された多くのシナリオ情報の中から、入力された検索情報と同一の情報を含むシナリオ又はシナリオのシーンを検索し、検索したシナリオ又はシナリオのシーンの情報を出力する。シナリオ情報解析装置は、当該シナリオ又はシナリオのシーンの情報を出力する。
【００３８】
例えば撮影から５年後にドラマの１シーンをテレビで放映した場合、当該シーンの識別番号（５年後に放映された時にも、そのシーンの映像信号に識別番号が付加されているものとする。）を検索情報として電子倉庫内のシナリオ情報を検索することにより、そのシーンがどのシナリオのどのシーンかを検索することが出来る。これにより、そのシーンの著作権を誰が持っているかを容易に知ることが出来る。そこに登場している俳優が誰であるかを容易に知ることが出来る。俳優の名前を検索情報として電子倉庫内のシナリオ情報を検索することにより、当該俳優が登場するシーンを抽出することが出来る。これにより、例えば当該俳優のデビュー１０年の記念番組の製作が容易になる。
シナリオ情報格納部２が電子倉庫のような大規模なアーカイブである場合、手作業での検索は極めて困難である故に、本発明のシナリオ情報解析装置及びシナリオ情報解析方法は特に有効である。
【００３９】
図１０は、算出部５が出力する出力情報のひとつである編集リストの一例を図示する。シナリオ情報の各シーン（実施形態においてはシーン１〜２５）にはシーン識別番号が付与されている。シーン識別番号は、シーン毎に固有の識別子であって、実施形態においては５桁の数字で表される。
撮影時には、撮影したビデオテープ（素材）のそれぞれにカセット番号（カセット番号は任意の値である。）とシーン識別番号と同一の値である素材識別番号を付与する。ひとつのシーンに対して複数のビデオを撮った場合は、それぞれのビデオに、シーン識別番号と同一の値にスラッシュ及び異なる番号を付与した素材識別番号を付与する。
【００４０】
算出部５は、シーン１から順番に素材識別番号を並べ、編集リストを生成する。編集リストは、シーン順に並べられた素材識別番号及びカセット番号の他、タイムコード、時間長及びラップタイムを含む。例えばタイムコード１３：５７：１６：１８−１３：５９：３２：２７の、１３：５７：１６：１８（１３時５７分１６秒１８フレーム）は、撮影されたそのシーンのビデオの先端の映像信号に対応付けられたタイムコードを示し、１３：５９：３２：２７は終端の映像信号に対応付けられたタイムコードを示す。
【００４１】
「時間長」は、当該シーン毎のビデオの時間長を示す。時間長は、終端のタイムコードから先端のタイムコードを差し引くことにより導出される。「ラップタイム」は、各シーンの時間長を累積した時間長を示す。例えば、図１０において、算出部５が出力した編集リストに従って映像信号を生成した場合、ドラマの長さは３５分１６秒２３フレームであることが分かる。これより、編集者（例えば監督）は、素材からどの程度長さを切り詰めることにより適切な長さのカンパケを作れるかを知ることが出来る。
当該編集リストをたたき台として、編集者は編集を進めることが出来る。
同一シーンについて複数の素材がある場合は、編集者は、例えば素材識別番号２５８６９−１が付与されたビデオと、素材識別番号２５８６９−２が付与された他のビデオの中からひとつのビデオを任意に選択し、当該選択指令を設定部６に入力する。算出部５は、当該選択されたビデオを含む編集リストを生成する。
【００４２】
図２は、本発明のシナリオ情報解析方法のフローチャートを示す。最初に、シナリオ情報からデータを抽出する（ステップ２１）。次に抽出された各データに関する参照情報を読み出す（ステップ２２）。次に、各データ及び参照情報に基づいて撮影スケジュール、撮影コスト等の出力情報を算出する（ステップ２３）。次に、出力情報を出力する（ステップ２４）。出力方法として、紙にプリントする方法、ディスプレイ上に画面表示する方法等がある。
【００４３】
本発明のシナリオ情報解析方法のフローチャートを実行するプログラムを、シーン毎に区分されたシナリオ情報と参照情報とを格納部（例えばハードディスク装置）に格納するコンピュータにロードすることにより、当該コンピュータを本発明のシナリオ情報解析装置として機能させることが出来る。
【産業上の利用可能性】
【００４４】
本発明はコンピュータを用いて、シナリオ情報に含まれるデータに参照情報を関連づける。更に、様々な参照情報に関連づけられたシナリオ情報に基づいて、適切な撮影スケジュール等の出力情報を自動的に算出し、出力する。このように、本発明は明らかに産業上利用可能である。
【図面の簡単な説明】
【００４５】
【図１】本発明のシナリオ情報解析装置の構成を示すブロック図
【図２】本発明のシナリオ情報解析方法のフローチャート
【図３】本発明の実施形態のシナリオ情報解析装置に入力するシナリオ情報の一例
【図４】本発明の実施形態の参照情報の一例
【図５】本発明の実施形態の参照情報の他の一例
【図６】本発明の実施形態の出力情報である撮影スケジュールの一例
【図７】本発明の実施形態の出力情報である機材・道具のリストの一例
【図８】本発明の実施形態の出力情報であるプロジェクトコストの一例
【図９】本発明の実施形態の出力情報である撮影コストの一例
【図１０】本発明の実施形態の出力情報である編集リストの一例
【符号の説明】
【００４６】
１    入力部
２    シナリオ情報格納部
３    参照情報格納部
４    検索部
５    算出部
６    設定部
７    出力部
【図１】
2004362610.tif 000003
【図２】
2004362610.tif 000004
【図３】
2004362610.tif 000005
【図４】
2004362610.tif 000006
【図５】
2004362610.tif 000007
【図６】
2004362610.tif 000008
【図７】
2004362610.tif 000009
【図８】
2004362610.tif 000010
【図９】
2004362610.tif 000011
【図１０】
2004362610.tif 000012